(57)【要約】【課題】ユーザが分割した地図画面の各画面間の道路等の繋がりや位置関係を容易に確認することができる情報表示装置、情報表示方法及びプログラムを提供する。【解決手段】表示画面上において押下された少なくとも２点の押下座標位置を検出した場合に、表示画面に２本の境界線で挟まれた地図領域を圧縮表示した圧縮表示部分があると判定され、更に、１点の押下座標位置が前記圧縮表示部分上で停止し、且つ、他点の押下座標位置が前記圧縮表示部分よりも外側の位置から該圧縮表示部分から離れる方向へ移動したと判定した場合には、該圧縮表示部分のうち、前記１点の押下座標位置から前記他点の押下座標位置側の部分の開き幅を設定し、この開き幅に基づいて前記２本の境界線を外側方向へ移動させると共に、この拡大された部分の地図領域を前記開き幅に基づいた圧縮率で再度、表示する。【選択図】図１２
2013029935.tif 000002
【特許請求の範囲】
【請求項１】
地図画像を表示する表示手段と、
前記表示手段の表示画面上において押下された押下座標位置を検出する位置検出手段と、
前記位置検出手段によって少なくとも２点の押下座標位置を検出した場合に、表示画面に２本の境界線で挟まれた地図領域を圧縮表示した圧縮表示部分があるか否かを判定する圧縮表示判定手段と、
前記圧縮表示判定手段を介して表示画面に前記圧縮表示部分があると判定された場合には、１点の押下座標位置が前記圧縮表示部分上で停止し、且つ、他点の押下座標位置が前記圧縮表示部分よりも外側の位置から該圧縮表示部分から離れる方向へ移動したか否かを判定する操作判定手段と、
前記操作判定手段を介して１点の押下座標位置が前記圧縮表示部分上で停止し、且つ、他点の押下座標位置が前記圧縮表示部分から離れる方向へ移動したと判定した場合には、該圧縮表示部分のうち、前記１点の押下座標位置から前記他点の押下座標位置側の部分の開き幅を設定する開き幅設定手段と、
前記開き幅に基づいて前記２本の境界線を外側方向へ移動させると共に、この拡大された部分の地図領域を前記開き幅に基づいた圧縮率で再度、表示する拡大表示手段と、
を備えたことを特徴とする情報表示装置。
【請求項２】
前記開き幅設定手段は、前記２本の境界線間の中心線に対して同じ幅で両側へ拡がると共に、前記１点の押下座標位置から前記他点の押下座標位置側へ徐々に全幅が広くなるように前記開き幅を設定することを特徴とする請求項１に記載の情報表示装置。
【請求項３】
前記拡大表示手段は、前記２本の境界線に対して両外側部分の地図領域を前記圧縮表示部分の拡大に対応させて圧縮して表示することを特徴とする請求項１又は請求項２に記載の情報表示装置。
【請求項４】
前記圧縮表示部分は、前記２本の境界線で挟まれた地図領域が該２本の境界線の相互に対向する方向に蛇腹状に折り畳まれて圧縮表示されていることを特徴とする請求項１乃至請求項３のいずれかに記載の情報表示装置。
【請求項５】
地図画像を表示する表示手段の表示画面上において押下された押下座標位置を検出する位置検出工程と、
前記位置検出工程で少なくとも２点の押下座標位置を検出した場合に、表示画面に２本の境界線で挟まれた地図領域を圧縮表示した圧縮表示部分があるか否かを判定する圧縮表示判定工程と、
前記圧縮表示判定工程で表示画面に圧縮表示部分があると判定された場合には、１点の押下座標位置が前記圧縮表示部分上で停止し、且つ、他点の押下座標位置が前記圧縮表示部分よりも外側の位置から該圧縮表示部分から離れる方向へ移動したか否かを判定する操作判定工程と、
前記操作判定工程で１点の押下座標位置が前記圧縮表示部分上で停止し、且つ、他点の押下座標位置が前記圧縮表示部分から離れる方向へ移動したと判定した場合には、該圧縮表示部分のうち、前記１点の押下座標位置から前記他点の押下座標位置側の部分の開き幅を設定する開き幅設定工程と、
前記開き幅設定工程で設定した開き幅に基づいて前記２本の境界線を外側方向へ移動させると共に、この拡大された部分の地図領域を前記開き幅に基づいた圧縮率で再度、表示する拡大表示工程と、
を備えたことを特徴とする情報表示方法。
【請求項６】
コンピュータに、
地図画像を表示する表示手段の表示画面上において押下された押下座標位置を検出する位置検出工程と、
前記位置検出工程で少なくとも２点の押下座標位置を検出した場合に、表示画面に２本の境界線で挟まれた地図領域を圧縮表示した圧縮表示部分があるか否かを判定する圧縮表示判定工程と、
前記圧縮表示判定工程で表示画面に圧縮表示部分があると判定された場合には、１点の押下座標位置が前記圧縮表示部分上で停止し、且つ、他点の押下座標位置が前記圧縮表示部分よりも外側の位置から該圧縮表示部分から離れる方向へ移動したか否かを判定する操作判定工程と、
前記操作判定工程で１点の押下座標位置が前記圧縮表示部分上で停止し、且つ、他点の押下座標位置が前記圧縮表示部分から離れる方向へ移動したと判定した場合には、該圧縮表示部分のうち、前記１点の押下座標位置から前記他点の押下座標位置側の部分の開き幅を設定する開き幅設定工程と、
前記開き幅設定工程で設定した開き幅に基づいて前記２本の境界線を外側方向へ移動させると共に、この拡大された部分の地図領域を前記開き幅に基づいた圧縮率で再度、表示する拡大表示工程と、
を実行させるためのプログラム。
【発明の詳細な説明】
【技術分野】
【０００１】
本発明は、表示画面の押下操作に基づいて画像を分割圧縮する情報表示装置、情報表示方法及びプログラムに関するものである。
【背景技術】
【０００２】
近年、携帯電話、ＰＤＡ（Personal Digital Assistant）、電子辞書及び音楽再生装置等の携帯電子機器が普及している。これらの携帯電子機器には、ユーザが操作する操作部の省スペース化により小型化を図るために、表示部の前側に接触及び接触位置を検出する透過型のタッチパネル等を備え、タッチパネルにユーザが触れることによって操作入力可能としたものが広く使われている。
【０００３】
例えば、２本の指で表示画面に接触した状態で、この２本の指の相対距離を縮めるように少なくとも一方の指を移動させることによって（以下、「ピッチイン」という。）、各指の移動後の接触位置Ｐ１、Ｐ２の間の中点を通るように、境界線Ｂを指の移動方向に対して垂直な方向に設定する。そして、この境界線Ｂに沿って表示画面を２の表示領域に分割して表示するように構成された表示装置がある（例えば、特許文献１参照。）。
【先行技術文献】
【特許文献】
【０００４】
【特許文献１】特開２０１０−９７４７３号公報
【発明の概要】
【発明が解決しようとする課題】
【０００５】
しかしながら、前記した特許文献１に記載された表示装置では、地図を表示した表示画面の分割を行った場合に、分割した各画面に表示されたそれぞれの地図領域が距離的に離れていると、各画面間の道路や施設等の繋がりや位置関係が分かりにくいという問題がある。
【０００６】
そこで、本発明は、上述した問題点を解決するためになされたものであり、ユーザが分割した地図画面の各画面間の道路等の繋がりや位置関係を容易に確認することができる情報表示装置、情報表示方法及びプログラムを提供することを目的とする。
【課題を解決するための手段】
【０００７】
前記目的を達成するため請求項１に係る情報表示装置は、地図画像を表示する表示手段と、前記表示手段の表示画面上において押下された押下座標位置を検出する位置検出手段と、前記位置検出手段によって少なくとも２点の押下座標位置を検出した場合に、表示画面に２本の境界線で挟まれた地図領域を圧縮表示した圧縮表示部分があるか否かを判定する圧縮表示判定手段と、前記圧縮表示判定手段を介して表示画面に前記圧縮表示部分があると判定された場合には、１点の押下座標位置が前記圧縮表示部分上で停止し、且つ、他点の押下座標位置が前記圧縮表示部分よりも外側の位置から該圧縮表示部分から離れる方向へ移動したか否かを判定する操作判定手段と、前記操作判定手段を介して１点の押下座標位置が前記圧縮表示部分上で停止し、且つ、他点の押下座標位置が前記圧縮表示部分から離れる方向へ移動したと判定した場合には、該圧縮表示部分のうち、前記１点の押下座標位置から前記他点の押下座標位置側の部分の開き幅を設定する開き幅設定手段と、前記開き幅に基づいて前記２本の境界線を外側方向へ移動させると共に、この拡大された部分の地図領域を前記開き幅に基づいた圧縮率で再度、表示する拡大表示手段と、を備えたことを特徴とする。
【０００８】
また、請求項２に係る情報表示装置は、請求項１に記載の情報表示装置において、前記開き幅設定手段は、前記２本の境界線間の中心線に対して同じ幅で両側へ拡がると共に、前記１点の押下座標位置から前記他点の押下座標位置側へ徐々に全幅が広くなるように前記開き幅を設定することを特徴とする。
【０００９】
また、請求項３に係る情報表示装置は、請求項１又は請求項２に記載の情報表示装置において、前記拡大表示手段は、前記２本の境界線に対して両外側部分の地図領域を前記圧縮表示部分の拡大に対応させて圧縮して表示することを特徴とする。
【００１０】
また、請求項４に係る情報表示装置は、請求項１乃至請求項３のいずれかに記載の情報表示装置において、前記圧縮表示部分は、前記２本の境界線で挟まれた地図領域が該２本の境界線の相互に対向する方向に蛇腹状に折り畳まれて圧縮表示されていることを特徴とする。
【００１１】
また、請求項５に係る情報表示方法は、地図画像を表示する表示手段の表示画面上において押下された押下座標位置を検出する位置検出工程と、前記位置検出工程で少なくとも２点の押下座標位置を検出した場合に、表示画面に２本の境界線で挟まれた地図領域を圧縮表示した圧縮表示部分があるか否かを判定する圧縮表示判定工程と、前記圧縮表示判定工程で表示画面に圧縮表示部分があると判定された場合には、１点の押下座標位置が前記圧縮表示部分上で停止し、且つ、他点の押下座標位置が前記圧縮表示部分よりも外側の位置から該圧縮表示部分から離れる方向へ移動したか否かを判定する操作判定工程と、前記操作判定工程で１点の押下座標位置が前記圧縮表示部分上で停止し、且つ、他点の押下座標位置が前記圧縮表示部分から離れる方向へ移動したと判定した場合には、該圧縮表示部分のうち、前記１点の押下座標位置から前記他点の押下座標位置側の部分の開き幅を設定する開き幅設定工程と、前記開き幅設定工程で設定した開き幅に基づいて前記２本の境界線を外側方向へ移動させると共に、この拡大された部分の地図領域を前記開き幅に基づいた圧縮率で再度、表示する拡大表示工程と、を備えたことを特徴とする。
【００１２】
更に、請求項６に係るプログラムは、コンピュータに、地図画像を表示する表示手段の表示画面上において押下された押下座標位置を検出する位置検出工程と、前記位置検出工程で少なくとも２点の押下座標位置を検出した場合に、表示画面に２本の境界線で挟まれた地図領域を圧縮表示した圧縮表示部分があるか否かを判定する圧縮表示判定工程と、前記圧縮表示判定工程で表示画面に圧縮表示部分があると判定された場合には、１点の押下座標位置が前記圧縮表示部分上で停止し、且つ、他点の押下座標位置が前記圧縮表示部分よりも外側の位置から該圧縮表示部分から離れる方向へ移動したか否かを判定する操作判定工程と、前記操作判定工程で１点の押下座標位置が前記圧縮表示部分上で停止し、且つ、他点の押下座標位置が前記圧縮表示部分から離れる方向へ移動したと判定した場合には、該圧縮表示部分のうち、前記１点の押下座標位置から前記他点の押下座標位置側の部分の開き幅を設定する開き幅設定工程と、前記開き幅設定工程で設定した開き幅に基づいて前記２本の境界線を外側方向へ移動させると共に、この拡大された部分の地図領域を前記開き幅に基づいた圧縮率で再度、表示する拡大表示工程と、を実行させるためのプログラムである。
【発明の効果】
【００１３】
請求項１に係る情報表示装置、請求項５に係る情報表示方法及び請求項６に係るプログラムでは、ユーザは、表示画面の圧縮表示部分の１点を指等で押下した状態で、且つ、この圧縮表示部分よりも外側の位置の他点を他の指等で押下して該圧縮表示部分から離れる方向へ移動させることによって、当該圧縮表示部分の指等で押下した１点の押下座標位置から他の指等で押下した他点の押下座標位置側の部分を部分的に拡大表示させることができる。これにより、ユーザは、圧縮表示部分のうち、見たい部分を部分的に拡大して表示させることができるため、圧縮表示部分によって分割された各画面間の道路等の繋がりや位置関係を容易に確認することができる。
【００１４】
また、請求項２に係る情報表示装置では、圧縮表示部分の拡大は、２本の境界線間の中心線に対して同じ幅で両側へ拡がると共に、圧縮表示部分の指等で押下した１点の押下座標位置から他の指等で押下した他点の押下座標位置側へ徐々に全幅が広くなるように拡大される。これにより、ユーザは圧縮表示部分の開き幅を両外側方向へ広く拡大することができ、分割された各画面間の道路等の繋がりや位置関係を更に容易に確認することができる。
【００１５】
また、請求項３に係る情報表示装置では、２本の境界線に対して両外側部分の地図領域は、圧縮表示部分の拡大に対応して圧縮されて表示されるため、ユーザは分割された各画面間の道路等の繋がりや位置関係を更に容易に確認することができる。
【００１６】
更に、請求項４に係る情報表示装置では、２本の境界線で挟まれた地図領域が該２本の境界線の相互に対向する方向に蛇腹状に折り畳まれて圧縮表示されるため、ユーザは地図領域の圧縮表示部分を容易に認識することができる。また、蛇腹が開くように拡大表示させることができ、ユーザは分割された各画面間の道路等の繋がりや位置関係を更に容易に確認することができる。
【図面の簡単な説明】
【００１７】
【図１】本実施例に係るナビゲーション装置を示したブロック図である。
【図２】圧縮表示データテーブルの一例を示す図である。
【図３】２本の指で押下した押下座標位置間の地図画像を圧縮表示する「圧縮表示処理」を示すメインフローチャートである。
【図４】図３の「蛇腹情報生成処理」のサブ処理を示すサブフローチャートである。
【図５】図３の「蛇腹描画処理」のサブ処理を示すサブフローチャートである。
【図６】図３の「蛇腹開放処理」のサブ処理を示すサブフローチャートである。
【図７】図３の「蛇腹描画変更処理」のサブ処理を示すサブフローチャートである。
【図８】地図画像を圧縮する蛇腹境界部の設定の一例を示す図である。
【図９】地図画像を圧縮した一例を示す図である。
【図１０】地図画像を圧縮した一例を示す図である。
【図１１】圧縮表示領域の開放操作の一例を示す図である。
【図１２】図１１に対応する圧縮表示領域の開放表示の一例を示す図である。
【図１３】圧縮表示領域の開放時の圧縮比率の一例を示す図である。
【図１４】圧縮表示領域の復元操作の一例を示す図である。
【図１５】圧縮表示領域の復元表示の一例を示す図である。
【発明を実施するための形態】
【００１８】
以下、本発明に係る情報表示装置、情報表示方法及びプログラムをナビゲーション装置について具体化した一実施例に基づき図面を参照しつつ詳細に説明する。
【００１９】
［ナビゲーション装置の概略構成］
先ず、本実施例に係るナビゲーション装置の概略構成について図１に基づいて説明する。図１は本実施例に係るナビゲーション装置１を示したブロック図である。
図１に示すように、本実施例に係るナビゲーション装置１は、自車の現在位置等を検出する現在地検出処理部１１と、各種のデータが記録されたデータ記録部１２と、入力された情報に基づいて、各種の演算処理を行うナビゲーション制御部１３と、操作者からの操作を受け付ける操作部１４と、操作者に対して地図等の情報を表示する液晶ディスプレイ１５と、経路案内等に関する音声ガイダンスを出力するスピーカ１６と、不図示の道路交通情報センタや地図情報配信センタ等との間で携帯電話網等を介して通信を行う通信装置１７と、液晶ディスプレイ１５の表面に装着されたタッチパネル１８とから構成されている。また、ナビゲーション制御部１３には自車の走行速度を検出する車速センサ２１が接続されている。
【００２０】
以下に、ナビゲーション装置１を構成する各構成要素について説明すると、現在地検出処理部１１は、ＧＰＳ３１、方位センサ３２、距離センサ３３等からなり、自車両の現在位置（以下、「自車位置」という。）、自車の向きを表す自車方位、走行距離等を検出することが可能となっている。
【００２１】
また、データ記録部１２は、外部記憶装置及び記録媒体としてのハードディスク（図示せず）と、ハードディスクに記憶された地図情報データベース（地図情報ＤＢ）２５、圧縮表示データベース（圧縮表示ＤＢ）２７及び所定のプログラム等を読み出すとともにハードディスクに所定のデータを書き込む為のドライバ（図示せず）とを備えている。
【００２２】
また、地図情報ＤＢ２５には、ナビゲーション装置１の走行案内や経路探索に使用されるナビ地図情報２６が格納されている。また、圧縮表示ＤＢ２７には、圧縮表示領域の地図を蛇腹状に折り畳んで圧縮表示する際の蛇腹折り畳み数を地図画像の縮尺、押下位置の移動量及び移動速度に対応させて記憶する後述の圧縮表示データテーブル５１（図２参照）が格納されている。
【００２３】
ここで、ナビ地図情報２６は、経路案内及び地図表示に必要な各種情報から構成されており、例えば、各新設道路を特定するための新設道路情報、地図を表示するための地図表示データ、各交差点に関する交差点データ、ノード点に関するノードデータ、道路（リンク）に関するリンクデータ、経路を探索するための探索データ、施設の一種である店舗等のＰＯＩ（Point of Interest）に関する施設データ、地点を検索するための検索データ等から構成されている。
【００２４】
また、ノードデータとしては、実際の道路の分岐点（交差点、Ｔ字路等も含む）、各道路に曲率半径等に応じて所定の距離ごとに設定されたノード点の座標（位置）、ノードが交差点に対応するノードであるか等を表すノード属性、ノードに接続するリンクの識別番号であるリンクＩＤのリストである接続リンク番号リスト、ノードにリンクを介して隣接するノードのノード番号のリストである隣接ノード番号リスト等に関するデータ等が記録される。
【００２５】
また、リンクデータとしては、道路を構成する各リンクに関してリンクを特定するリンクＩＤ、リンクの長さを示すリンク長、リンクの始点と終点の座標位置（例えば、緯度と経度である。）、中央分離帯の有無、リンクの属する道路の幅員、勾（こう）配、カント、バンク、路面の状態、道路の車線数、車線数の減少する箇所、幅員の狭くなる箇所、踏切り等を表すデータが、コーナに関して、曲率半径、交差点、Ｔ字路、コーナの入口及び出口等を表すデータが、道路属性に関して、降坂路、登坂路等を表すデータが、道路種別に関して、国道、県道、細街路等の一般道のほか、高速自動車国道、都市高速道路、一般有料道路、有料橋等の有料道路を表すデータがそれぞれ記録される。
【００２６】
尚、高速自動車国道、都市高速道路、自動車専用道路、一般有料道路の有料の道路を有料道路という。また、有料道路を除いた１桁又は２桁の国道、主要地方道を幹線道路という。また、３桁以上の国道、県道、市町村道等を一般道路という。
【００２７】
また、施設データとしては、各地域のホテル、遊園地、宮殿、病院、ガソリンスタンド、駐車場、駅、空港、フェリー乗り場等のＰＯＩに関する名称や住所、電話番号、地図上の座標位置（例えば、中心位置、入口、出口等の緯度と経度である。）、地図上に施設の位置を表示する施設アイコン等のデータがＰＯＩを特定する施設ＩＤとともに記憶されている。
また、地図情報ＤＢ２５の内容は、不図示の地図情報配信センタから通信装置１７を介して配信された更新情報をダウンロードすることによって更新される。
【００２８】
また、図１に示すように、ナビゲーション装置１を構成するナビゲーション制御部１３は、ナビゲーション装置１の全体の制御を行う演算装置及び制御装置としてのＣＰＵ４１、並びにＣＰＵ４１が各種の演算処理を行うに当たってワーキングメモリとして使用されるとともに、経路が探索されたときの経路データ等が記憶されるＲＡＭ４２、制御用のプログラム等が記憶されたＲＯＭ４３、ＲＯＭ４３から読み出したプログラムを記憶するフラッシュメモリ４４等の内部記憶装置や、時間を計測するタイマ４５等を備えている。
【００２９】
また、ＲＯＭ４３には、後述のユーザが液晶ディスプレイ１５の表示画面上を２本の指で押下した状態で近づくように移動させることによって、つまり、ピッチイン操作を行った場合に、２本の指で押下した間の地図画像を蛇腹状に折り畳んで圧縮表示する「圧縮表示処理」（図３参照）等のプログラムが記憶されている。
更に、前記ナビゲーション制御部１３には、操作部１４、液晶ディスプレイ１５、スピーカ１６、通信装置１７、タッチパネル１８の各周辺装置（アクチュエータ）が電気的に接続されている。
【００３０】
この操作部１４は、走行開始時の現在位置を修正し、案内開始地点としての出発地及び案内終了地点としての目的地を入力する際や施設に関する情報の検索を行う場合等に操作され、各種のキーや複数の操作スイッチから構成される。そして、ナビゲーション制御部１３は、各スイッチの押下等により出力されるスイッチ信号に基づき、対応する各種の動作を実行すべく制御を行う。
【００３１】
また、液晶ディスプレイ１５には、現在走行中の地図情報（図７等参照）、目的地周辺の地図情報、操作案内、操作メニュー、キーの案内、現在地から目的地までの推奨経路、推奨経路に沿った案内情報、交通情報、ニュース、天気予報、時刻、メール、テレビ番組等が表示される。
【００３２】
また、スピーカ１６は、ナビゲーション制御部１３からの指示に基づいて、推奨経路に沿った走行を案内する音声ガイダンス等を出力する。ここで、案内される音声ガイダンスとしては、例えば、「２００ｍ先、○○交差点を右方向です。」等がある。
【００３３】
また、通信装置１７は、地図情報配信センタと通信を行う携帯電話網等による通信手段であり、地図情報配信センタとの間で最もバージョンの新しい更新地図情報等の送受信を行う。また、通信装置１７は地図情報配信センタに加えて、道路交通情報センタ等から送信された渋滞情報やサービスエリアの混雑状況等の各情報から成る交通情報を受信する。
【００３４】
また、タッチパネル１８は、液晶ディスプレイ１５の表示画面上に装着された透明なパネル状のタッチスイッチであり、液晶ディスプレイ１５の画面に表示されたボタンや地図上を押下することによって各種指示コマンドの入力や、後述のように表示画面上を２本の指で押下してピッチイン操作を行った場合に、各指の移動方向及び移動速度の検出や、表示画面上を押下した指の数の検出等をすることが可能に構成されている。尚、タッチパネル１８は、液晶ディスプレイ１５の画面を直接押下する光センサ液晶方式等で構成してもよい。
【００３５】
ここで、圧縮表示ＤＢ２７に格納される圧縮表示データテーブル５１の一例について図２に基づいて説明する。
図２に示すように、圧縮表示データテーブル５１は、「縮尺」と、「移動量」と、「移動速度」と、「蛇腹折り畳み数」とから構成されている。「縮尺」には、表示画面に表示されている地図画像の縮尺が記憶されている。例えば、市街図や、詳細図の１／５０００、１万図の１／１００００等の縮尺が記憶されている。
【００３６】
また、「移動量」には、２本の指の押下座標位置の合計移動量を表す「狭」、「中」、「広」が、「縮尺」に記憶されている各地図画像の縮尺に対応して記憶されている。この「狭」は、２本の指の押下座標位置の合計移動量が狭いことを表している。例えば、２本の指の押下座標位置の合計移動量が、表示画面の移動方向の幅の１／３未満であることを表している。
【００３７】
また、「中」は、２本の指の押下座標位置の合計移動量が中くらいであることを表している。例えば、２本の指の押下座標位置の合計移動量が、表示画面の移動方向の幅の１／３以上から約２／３未満であることを表している。また、この「広」は、２本の指の押下座標位置の合計移動量が広いことを表している。例えば、２本の指の押下座標位置の合計移動量が、表示画面の移動方向の幅の２／３以上であることを表している。
【００３８】
また、「移動速度」には、２本の指の押下座標位置の近づく移動速度を表す「低速」、「中速」、「高速」が、「移動量」に記憶された「狭」、「中」、「広」のそれぞれに対応して記憶されている。この「低速」は、２本の指の押下座標位置の近づく移動速度が低速であることを表している。例えば、２本の指の押下座標位置の近づく移動速度が、１ｃｍ／秒未満であることを表している。
【００３９】
また、「中速」は、２本の指の押下座標位置の近づく移動速度が中速であることを表している。例えば、２本の指の押下座標位置の近づく移動速度が、１ｃｍ／秒以上から２ｃｍ／秒未満であることを表している。また「高速」は、２本の指の押下座標位置の近づく移動速度が高速であることを表している。例えば、２本の指の押下座標位置の近づく移動速度が、２ｃｍ／秒以上であることを表している。
【００４０】
また、「蛇腹折り畳み数」には、２本の境界線で挟まれた地図領域を蛇腹状に折り畳む折り畳み数が、「移動速度」に記憶された「低速」、「中速」、「高速」のそれぞれに対応して記憶されている。例えば、「縮尺」が「市街図」で、「移動量」が「狭」で、「移動速度」が「低速」に対応する「蛇腹折り畳み数」には、折り畳み数「２」が記憶されている。
【００４１】
従って、図２に示すように、「蛇腹折り畳み数」は、「移動量」が大きくなるほど、多くなるように設定されている。また、「蛇腹折り畳み数」は、「移動速度」が速くなるほど、多くなるように設定されている。また「蛇腹折り畳み数」は、「縮尺」が広域図になるほど、つまり、縮尺が小さくなるほど、多くなるように設定されている。
【００４２】
［圧縮表示処理］
次に、上記のように構成されたナビゲーション装置１のＣＰＵ４１が実行する処理であって、ユーザが液晶ディスプレイ１５の表示画面上を２本の指で押下してピッチイン操作を行った場合に、２本の指で押下した間の地図画像を蛇腹状に折り畳んで圧縮表示する「圧縮表示処理」について図３乃至図１１に基づいて説明する。尚、図３にフローチャートで示されるプログラムは、ＣＰＵ４１により実行される。
【００４３】
図３に示すように、先ず、ステップ（以下、Ｓと略記する）１１において、ＣＰＵ４１は、タッチパネル１８の指等で押下された各押下座標位置（以下、「タッチ座標」という。）を所定時間毎（例えば、約１０ミリ秒毎である。）に検出して、それぞれの指等に対応させてＲＡＭ４２に時系列的に記憶する。
【００４４】
続いて、Ｓ１２において、ＣＰＵ４１は、タッチパネル１８への指等による押下が解除された場合には、表示画面に表示されている地図上に、蛇腹状に折り畳んで圧縮表示した地図領域があるか否かを判定する判定処理を実行する。そして、表示画面に表示されている地図上に、蛇腹状に折り畳んで圧縮表示した地図領域が無いと判定した場合には（Ｓ１２：ＮＯ）、ＣＰＵ４１は、Ｓ１３の処理に移行して、後述の「蛇腹情報生成処理」のサブ処理（図４参照）を実行後、Ｓ１４の処理に移行する。
【００４５】
Ｓ１４において、ＣＰＵ４１は、後述の「蛇腹描画処理」のサブ処理（図５参照）を実行後、当該処理を終了する。
一方、上記Ｓ１２で表示画面に表示されている地図上に、蛇腹状に折り畳んで圧縮表示した地図領域があると判定した場合には（Ｓ１２：ＹＥＳ）、ＣＰＵ４１は、Ｓ１５の処理に移行して、後述の「蛇腹開放処理」のサブ処理（図６参照）を実行後、Ｓ１６の処理に移行する。
Ｓ１６において、ＣＰＵ４１は、後述の「蛇腹描画変更処理」のサブ処理（図７参照）を実行後、当該処理を終了する。
【００４６】
［蛇腹情報生成処理］
次に、上記Ｓ１３で実行する「蛇腹情報生成処理」のサブ処理について図４及び図８に基づいて説明する。
図４に示すように、Ｓ１１１において、ＣＰＵ４１は、ＲＡＭ４２からそれぞれの指のタッチ座標を時系列的に読み出し、表示画面上でのそれぞれの指のタッチ座標の移動方向を算出してＲＡＭ４２に記憶する。
【００４７】
そして、Ｓ１１２において、ＣＰＵ４１は、それぞれの指が最初に表示画面を押下したタッチ座標（以下、「開始タッチ座標」という。）と、それぞれの指のタッチ座標の移動方向とをＲＡＭ４２から読み出す。そして、ＣＰＵ４１は、それぞれの指の開始タッチ座標を通り、各開始タッチ座標の移動方向に対して垂直な直線を算出し、蛇腹状に圧縮表示する地図領域の各境界線としてＲＡＭ４２に記憶する。従って、ＣＰＵ４１は、２本の境界線で挟まれた地図領域を蛇腹状に圧縮表示する地図領域として設定する。
【００４８】
例えば、図８に示すように、液晶ディスプレイ１５の表示画面の一方の開始タッチ座標５５の移動方向が矢印５５Ａ方向の場合には、ＣＰＵ４１は、開始タッチ座標５５を通り、矢印５５Ａ方向に垂直な直線を、蛇腹状に圧縮表示する地図領域の一方の境界線５８としてＲＡＭ４２に記憶する。
【００４９】
また、表示画面の他方の開始タッチ座標５６の移動方向が矢印５６Ａ方向の場合には、ＣＰＵ４１は、開始タッチ座標５６を通り、矢印５６Ａ方向に垂直な直線を、蛇腹状に圧縮表示する地図領域の他方の境界線５９としてＲＡＭ４２に記憶する。従って、ＣＰＵ４１は、各境界線５８、５９で挟まれた地図領域５７を蛇腹状に圧縮表示する地図領域として設定する。
【００５０】
そして、図４に示すように、Ｓ１１３において、ＣＰＵ４１は、各境界線上に存在する道路と施設に関する地図情報をナビ地図情報２６から読み出し、ＲＡＭ４２に記憶する。具体的には、ＣＰＵ４１は、各境界線上に存在する道路（リンク）に関するリンクデータやノード点に関するノードデータ、及び、各境界線上に存在するＰＯＩに関する施設データ等を読み出し、ＲＡＭ４２に記憶する。
【００５１】
例えば、図８に示すように、ＣＰＵ４１は、境界線５８上に存在する幹線道路６１、一般道路６２、有料道路６３、一般道路６４の各リンクＩＤと、公園６５の施設ＩＤをナビ地図情報２６から読み出して、ＲＡＭ４２に記憶する。また、ＣＰＵ４１は、境界線５９上に存在する幹線道路６１、有料道路６３、一般道路６４の各リンクＩＤと、公園６５の施設ＩＤをナビ地図情報２６から読み出して、ＲＡＭ４２に記憶する。
【００５２】
続いて、図４に示すように、Ｓ１１４において、ＣＰＵ４１は、各境界線間に連続する同一道路又は同一施設があるか否かを判定する判定処理を実行する。
具体的には、ＣＰＵ４１は、一方の境界線上の有料道路、幹線道路、一般道路の順に、各道路上の一方の境界線上のリンクから他方の境界線側へ地図画像上で連続するリンクのリンクＩＤをナビ地図情報２６から順次読み出す。そして、他方の境界線上まで地図画像上で連続したリンクのリンクＩＤがある場合には、各境界線間に連続する同一道路であると判定する。
【００５３】
また、一方の境界線上の公園や遊園地等の施設と他方の境界線上の施設との施設ＩＤをナビ地図情報２６から読み出し、これらの施設ＩＤが一致する場合には、各境界線間に連続する同一施設であると判定する。
【００５４】
そして、各境界線間に連続する同一道路及び同一施設が無いと判定した場合には（Ｓ１１４：ＮＯ）、ＣＰＵ４１は、当該サブ処理を終了してメインフローチャートに戻り、Ｓ１４の処理に移行する。
一方、各境界線間に連続する同一道路又は同一施設があると判定した場合には（Ｓ１１４：ＹＥＳ）、ＣＰＵ４１は、Ｓ１１５の処理に移行する。Ｓ１１５において、ＣＰＵ４１は、各境界線間に連続する同一道路の各境界線上の各リンクのリンクＩＤを相互に対応付けてＲＡＭ４２に記憶する、つまり、各境界線間に連続する同一道路を相互に紐付けて記憶する。
【００５５】
また、ＣＰＵ４１は、各境界線間に連続する同一施設の各境界線上における施設ＩＤを相互に対応付けてＲＡＭ４２に記憶する、つまり、各境界線間に連続する同一施設を相互に紐付けて記憶する。その後、ＣＰＵ４１は、当該サブ処理を終了してメインフローチャートに戻り、Ｓ１４の処理に移行する。
【００５６】
例えば、図８に示すように、ＣＰＵ４１は、一方の境界線５８上の有料道路６３のリンク６３ＡのリンクＩＤと、このリンク６３Ａから他方の境界線５９側へ地図画像上で連続するリンク６３ＢのリンクＩＤとを読み出す。そして、リンク６３Ｂが他方の境界線５９上にある場合には、ＣＰＵ４１は、有料道路６３が各境界線５８、５９間で連続する同一道路であると判定する。そして、ＣＰＵ４１は、当該有料道路６３の各境界線５８、５９上の各リンク６３Ａ、６３ＢのリンクＩＤを相互に対応付けてＲＡＭ４２に記憶する。
【００５７】
同様に、ＣＰＵ４１は、幹線道路６１の境界線５８上のリンク６１Ａと境界線５９上のリンク６１Ｂとが地図画像上で連続することから、幹線道路６１が各境界線５８、５９間で連続する同一道路であると判定する。そして、ＣＰＵ４１は、当該幹線道路６１の各境界線５８、５９上の各リンク６１Ａ、６１ＢのリンクＩＤを相互に対応付けてＲＡＭ４２に記憶する。
【００５８】
また、ＣＰＵ４１は、一般道路６４の境界線５８上のリンク６４Ａと境界線５９上のリンク６４Ｃとが、地図画像上のリンク６４Ｂを介して連続することから、一般道路６４が各境界線５８、５９間で連続する同一道路であると判定する。そして、ＣＰＵ４１は、当該一般道路６４の各境界線５８、５９上の各リンク６４Ａ、６４ＣのリンクＩＤを相互に対応付けてＲＡＭ４２に記憶する。
【００５９】
一方、ＣＰＵ４１は、一般道路６２の境界線５８上のリンク６２Ａは、当該リンク６２Ａに連続する地図画像上のリンク６２Ｂを介して一般道路６４に接続されており、境界線５９上に達していないため、一般道路６２は各境界線５８、５９間で連続する同一道路ではないと判定する。尚、ノードや各リンク６１Ａ、６１Ｂ、６２Ａ、・・・等は地図画像上に表示されていない。
【００６０】
また、ＣＰＵ４１は、境界線５８上の公園６５の施設ＩＤと境界線５９上の公園６５の施設ＩＤをナビ地図情報２６から読み出し、これらの施設ＩＤが一致することから、公園６５が各境界線５８、５９間で連続する同一施設であると判定する。そして、ＣＰＵ４１は、各境界線５８、５９上の公園６５の施設ＩＤを相互に対応付けてＲＡＭ４２に記憶する。
【００６１】
［蛇腹描画処理］
次に、上記Ｓ１４で実行する「蛇腹描画処理」のサブ処理について図５、図９及び図１０に基づいて説明する。
図５に示すように、Ｓ２１１において、ＣＰＵ４１は、ＲＡＭ４２からそれぞれの指によるタッチ座標を時系列的に読み出し、表示画面上での各指のタッチ座標の合計移動量と、各指によるのタッチ座標の近づく移動速度を算出してＲＡＭ４２に記憶する。
【００６２】
具体的には、ＣＰＵ４１は、各指の開始タッチ座標と、各指によるタッチパネル１８への押下がなくなる直前のタッチ座標（以下、「最終タッチ座標」という。）とをＲＡＭ４２から読み出す。そして、各指の開始タッチ座標から最終タッチ座標までの距離を算出して合計し、各指の「合計移動量」としてＲＡＭ４２に記憶する。また、各指のタッチパネル１８への押下開始から押下解除までの計測時間と、各指の開始タッチ座標から最終タッチ座標までの距離とから移動速度を算出して、各指のタッチ座標の近づく「移動速度」としてＲＡＭ４２に記憶する。
【００６３】
そして、Ｓ２１２において、ＣＰＵ４１は、液晶ディスプレイ１５の表示画面に表示している地図画像の縮尺をナビ地図情報２６から読み出し、ＲＡＭ４２に記憶する。
続いて、Ｓ２１３において、ＣＰＵ４１は、上記Ｓ１１２で設定した２本の境界線で挟まれた地図領域を蛇腹状に圧縮表示する際の「蛇腹折り畳み数」を設定する。
【００６４】
具体的には、先ず、ＣＰＵ４１は、地図画像の縮尺をＲＡＭ４２から読み出して、圧縮表示データテーブル５１の「縮尺」として決定する。続いて、ＣＰＵ４１は、ＲＡＭ４２から各指の「合計移動量」を読み出して、この圧縮表示データテーブル５１の決定した「縮尺」に対応する「移動量」の「狭」、「中」、「広」の何れであるか決定する。
【００６５】
そして、ＣＰＵ４１は、ＲＡＭ４２から各指のタッチ座標の近づく「移動速度」を読み出して、この圧縮表示データテーブル５１の決定した「移動量」に対応する「移動速度」の「低速」、「中速」、「高速」の何れであるか決定する。その後、ＣＰＵ４１は、この圧縮表示データテーブル５１の決定した「移動速度」に対応する「蛇腹折り畳み数」を当該圧縮表示データテーブル５１から読み出し、２本の境界線で挟まれた地図領域を蛇腹状に圧縮表示する際の「蛇腹折り畳み数」としてＲＡＭ４２に記憶する。
【００６６】
例えば、図９に示すように、液晶ディスプレイ１５の地図画像の縮尺が「市街図」（例えば、１／３０００の縮尺である。）であるため、ＣＰＵ４１は、圧縮表示データテーブル５１の「縮尺」を「市街図」として決定する。また、各開始タッチ座標５５、５６から各最終タッチ座標７１、７２までの「合計移動量」を各指の移動方向の表示画面の幅で割り算した値が１／３未満の場合には、ＣＰＵ４１は、圧縮表示データテーブル５１の決定した「縮尺」の「市街図」に対応する「移動量」を「狭」に決定する。
【００６７】
また、各開始タッチ座標５５、５６から各最終タッチ座標７１、７２へ近づく「移動速度」が１ｃｍ／秒未満の場合には、圧縮表示データテーブル５１の決定した「移動量」の「狭」に対応する「移動速度」を「低速」に決定する。その後、ＣＰＵ４１は、この圧縮表示データテーブル５１の決定した「移動速度」の「低速」に対応する「蛇腹折り畳み数」の「２」を読み出し、蛇腹状に圧縮表示する際の「蛇腹折り畳み数」としてＲＡＭ４２に記憶する。つまり、ＣＰＵ４１は、各最終タッチ座標７１、７２まで移動させた各境界線５８、５９で挟まれた地図領域５７を蛇腹状に圧縮表示する際の「蛇腹折り畳み数」を「２」に設定する。
【００６８】
また、例えば、図１０に示すように、液晶ディスプレイ１５の地図画像の縮尺が「市街図」（例えば、１／３０００の縮尺である。）であるため、ＣＰＵ４１は、圧縮表示データテーブル５１の「縮尺」を「市街図」として決定する。また、各開始タッチ座標５５、５６から各最終タッチ座標８１、８２までの「合計移動量」を各指の移動方向の表示画面の幅で割り算した値が１／３以上から１／２未満の場合には、ＣＰＵ４１は、圧縮表示データテーブル５１の決定した「縮尺」の「市街図」に対応する「移動量」を「中」に決定する。
【００６９】
また、各開始タッチ座標５５、５６から各最終タッチ座標８１、８２へ近づく「移動速度」が１ｃｍ／秒以上から２ｃｍ／秒未満の場合には、圧縮表示データテーブル５１の決定した「移動量」の「中」に対応する「移動速度」を「中速」に決定する。その後、ＣＰＵ４１は、この圧縮表示データテーブル５１の決定した「移動速度」の「中速」に対応する「蛇腹折り畳み数」の「４」を読み出し、蛇腹状に圧縮表示する際の「蛇腹折り畳み数」としてＲＡＭ４２に記憶する。つまり、ＣＰＵ４１は、各最終タッチ座標８１、８２まで移動させた各境界線５８、５９で挟まれた地図領域５７を蛇腹状に圧縮表示する際の「蛇腹折り畳み数」を「４」に設定する。
【００７０】
そして、図５に示すように、Ｓ２１４において、ＣＰＵ４１は、上記Ｓ１１２で各開始タッチ座標を通るように設定した２本の各境界線を各最終タッチ座標の位置までそれぞれ移動させる。また同時に、ＣＰＵ４１は、当該２本の境界線のそれぞれの外側の地図領域を各境界線の移動に従って表示画面内へ移動させて表示する。
【００７１】
続いて、Ｓ２１５において、ＣＰＵ４１は、各最終タッチ座標の位置まで移動した２本の境界線で挟まれた地図領域を蛇腹状に圧縮表示する際の「蛇腹折り畳み数」をＲＡＭ４２から読み出す。そして、ＣＰＵ４１は、２本の境界線で挟まれた地図領域を該２本の境界線に対して垂直方向に当該「蛇腹折り畳み数」で蛇腹状に折り畳んで圧縮表示する。
【００７２】
例えば、図９に示すように、ＣＰＵ４１は、各境界線５８、５９を各最終タッチ座標７１、７２の位置までそれぞれ移動させる。また同時に、ＣＰＵ４１は、各境界線５８、５９のそれぞれの外側の地図領域を各境界線５８、５９の移動に従って表示画面内へ移動させて表示する。また、ＣＰＵ４１は、各境界線５８、５９で挟まれた地図領域５７を圧縮表示する際の「蛇腹折り畳み数」である「２」をＲＡＭ４２から読み出し、この地図領域５７を各境界線５８、５９に対して垂直方向に折り畳み数「２」の蛇腹状に折り畳んで圧縮した圧縮表示領域７５を表示する。
【００７３】
また、例えば、図１０に示すように、ＣＰＵ４１は、各境界線５８、５９を各最終タッチ座標８１、８２の位置までそれぞれ移動させる。また同時に、ＣＰＵ４１は、各境界線５８、５９のそれぞれの外側の地図領域を各境界線５８、５９の移動に従って表示画面内へ移動させて表示する。また、ＣＰＵ４１は、各境界線５８、５９で挟まれた地図領域５７を圧縮表示する際の「蛇腹折り畳み数」である「４」をＲＡＭ４２から読み出し、この地図領域５７を各境界線５８、５９に対して垂直方向に折り畳み数「４」の蛇腹状に折り畳んで圧縮した圧縮表示領域８５を表示する。
【００７４】
そして、図５に示すように、Ｓ２１６において、ＣＰＵ４１は、上記Ｓ１１５で記憶した各境界線間に連続する同一道路として相互に対応付けられた各境界線上の各リンクのリンクＩＤをＲＡＭ４２から順番に読み出す。そして、ＣＰＵ４１は、地図画像上の相互に対応付けられた各リンクＩＤに対応する道路の各境界線上の端縁部を繋いで、蛇腹状に折り畳んで圧縮表示された圧縮表示領域上に同一道路を連続した状態で順番に表示する。
【００７５】
また、ＣＰＵ４１は、上記Ｓ１１５で記憶した各境界線間に連続する同一施設として相互に対応付けられた各境界線上の施設ＩＤをＲＡＭ４２から順番に読み出す。そして、ＣＰＵ４１は、地図画像上の相互に対応付けられ各施設ＩＤに対応する施設の各境界線上の端縁部を順番に繋いで、蛇腹状に折り畳んで圧縮表示された圧縮表示領域上に同一施設を連続した状態で表示する。その後、ＣＰＵ４１は、当該サブ処理を終了してメインフローチャートに戻り、圧縮表示処理を終了する。
【００７６】
尚、ＣＰＵ４１は、地図画像上の相互に対応付けられ各境界線上の施設ＩＤに対応する施設の各境界線上の端縁部と、圧縮表示領域の蛇腹状に折り畳んだ山の線上における各施設の端縁部とを順番に繋いで、蛇腹状に折り畳んで圧縮表示された圧縮表示領域上に同一施設を連続した状態で表示するようにしてもよい。
【００７７】
例えば、図９及び図１０に示すように、ＣＰＵ４１は、各境界線５８、５９間に連続する有料道路６３として相互に対応付けられた各境界線５８、５９上の各リンク６３Ａ、６３ＢのリンクＩＤをＲＡＭ４２から読み出す。そして、ＣＰＵ４１は、地図画像上の各リンク６３Ａ、６３ＢのリンクＩＤに対応する有料道路６３の各境界線５８、５９上の端縁部を繋いで、地図領域５７を蛇腹状に折り畳んで圧縮表示された各圧縮表示領域７５、８５上に、当該有料道路６３を連続した状態で表示する。
【００７８】
また、ＣＰＵ４１は、各境界線５８、５９間に連続する幹線道路６１として相互に対応付けられた各境界線５８、５９上の各リンク６１Ａ、６１ＢのリンクＩＤをＲＡＭ４２から読み出す。そして、ＣＰＵ４１は、地図画像上の各リンク６１Ａ、６１ＢのリンクＩＤに対応する幹線道路６１の各境界線５８、５９上の端縁部を繋いで、地図領域５７を蛇腹状に折り畳んで圧縮表示された各圧縮表示領域７５、８５上に、当該幹線道路６１を連続した状態で表示する。
【００７９】
また、ＣＰＵ４１は、各境界線５８、５９間に連続する一般道路６４として相互に対応付けられた各境界線５８、５９上の各リンク６４Ａ、６４ＣのリンクＩＤをＲＡＭ４２から読み出す。そして、ＣＰＵ４１は、地図画像上の各リンク６４Ａ、６４ＣのリンクＩＤに対応する一般道路６４の各境界線５８、５９上の端縁部を繋いで、地図領域５７を蛇腹状に折り畳んで圧縮表示された各圧縮表示領域７５、８５上に、当該一般道路６４を連続した状態で表示する。
【００８０】
また、ＣＰＵ４１は、各境界線５８、５９間に連続する公園６５として相互に対応付けられた各境界線５８、５９上の公園６５の施設ＩＤをＲＡＭ４２から読み出す。そして、ＣＰＵ４１は、地図画像上の相互に対応付けられ各境界線５８、５９上の施設ＩＤに対応する公園６５の各境界線５８、５９上の端縁部と、各圧縮表示領域７５、８５の蛇腹状に折り畳んだ山折り線上（または、谷折り線上）における公園６５の端縁部とを順番に繋いで、地図領域５７を蛇腹状に折り畳んで圧縮表示された各圧縮表示領域７５、８５上に公園６５を連続した状態で表示する。
【００８１】
尚、ＣＰＵ４１は、地図画像上の施設ＩＤに対応する各境界線５８、５９上の公園６５の端縁部を直線的に繋いで、地図領域５７を蛇腹状に折り畳んで圧縮表示された各圧縮表示領域７５、８５上に、当該公園６５を連続した状態で表示するようにしてもよい。
【００８２】
［蛇腹開放処理］
次に、上記Ｓ１５で実行する「蛇腹開放処理」のサブ処理について図６、図１１乃至図１３に基づいて説明する。
図６に示すように、Ｓ３１１において、ＣＰＵ４１は、タッチパネル１８の指で押下された各開始タッチ座標をＲＡＭ４２から読み出し、開始タッチ座標が表示画面上の３点の座標位置か否かを判定する判定処理を実行する。
【００８３】
そして、タッチパネル１８の指で押下された各開始タッチ座標が、表示画面上の３点の座標位置でない場合には（Ｓ３１１：ＮＯ）、ＣＰＵ４１は、当該サブ処理を終了してメインフローチャートに戻り、Ｓ１６の処理に移行する。
【００８４】
一方、タッチパネル１８の指で押下された各開始タッチ座標が、表示画面上の３点の座標位置の場合には（Ｓ３１１：ＹＥＳ）、ＣＰＵ４１は、Ｓ３１２の処理に移行する。Ｓ３１２において、ＣＰＵ４１は、表示画面上での各指の移動後のタッチ座標、つまり、最終タッチ座標をＲＡＭ４２から読み出す。
【００８５】
続いて、Ｓ３１３において、ＣＰＵ４１は、表示画面上でのそれぞれの指の開始タッチ座標と最終タッチ座標から３点のうち、１点が開始タッチ座標とほぼ同じ座標位置に停止し、つまり、１点の開始タッチ座標が固定され、且つ、他の２点の開始タッチ座標が移動したか否かを判定する判定処理を実行する。そして、開始タッチ座標が１点だけ固定されていない、又は、開始タッチ座標が２点だけ移動していないと判定した場合には（Ｓ３１３：ＮＯ）、ＣＰＵ４１は、当該サブ処理を終了してメインフローチャートに戻り、Ｓ１６の処理に移行する。
【００８６】
一方、１点の開始タッチ座標が固定され、且つ、他の２点の開始タッチ座標が移動したと判定した場合には（Ｓ３１３：ＹＥＳ）、ＣＰＵ４１は、Ｓ３１４の処理に移行する。Ｓ３１４において、ＣＰＵ４１は、この固定された１点の開始タッチ座標（以下、「固定タッチ座標」という。）が、蛇腹状に折り畳んで圧縮表示した圧縮表示領域上に位置するか否かを判定する判定処理を実行する。
【００８７】
そして、固定タッチ座標が蛇腹状に折り畳んで圧縮表示した圧縮表示領域の外側に位置していると判定した場合には（Ｓ３１４：ＮＯ）、ＣＰＵ４１は、当該サブ処理を終了してメインフローチャートに戻り、Ｓ１６の処理に移行する。
一方、固定タッチ座標が蛇腹状に折り畳んで圧縮表示した圧縮表示領域上に位置していると判定した場合には（Ｓ３１４：ＹＥＳ）、ＣＰＵ４１は、Ｓ３１５の処理に移行する。
【００８８】
Ｓ３１５において、ＣＰＵ４１は、移動した２点の開始タッチ座標は、蛇腹状に折り畳んで圧縮表示した圧縮表示領域を挟んで、当該圧縮表示領域の外側にそれぞれ位置しているか否かを判定する判定処理を実行する。つまり、ＣＰＵ４１は、移動した２点の開始タッチ座標が、蛇腹状に折り畳んで圧縮表示した圧縮表示領域を挟んで両側に位置しているか否かを判定する判定処理を実行する。
【００８９】
そして、移動した２点の開始タッチ座標は、蛇腹状に折り畳んで圧縮表示した圧縮表示領域を挟んで、当該圧縮表示領域の外側にそれぞれ位置していないと判定した場合には（Ｓ３１５：ＮＯ）、ＣＰＵ４１は、当該サブ処理を終了してメインフローチャートに戻り、Ｓ１６の処理に移行する。
【００９０】
一方、移動した２点の開始タッチ座標は、蛇腹状に折り畳んで圧縮表示した圧縮表示領域を挟んで、当該圧縮表示領域の外側にそれぞれ位置していると判定した場合には（Ｓ３１５：ＹＥＳ）、ＣＰＵ４１は、Ｓ３１６の処理に移行する。Ｓ３１６において、ＣＰＵ４１は、移動した２点の開始タッチ座標のそれぞれに対応する指のタッチ座標をＲＡＭ４２から時系列的に読み出し、各開始タッチ座標の移動方向が、互いにほぼ逆方向であるか否かを判定する判定処理を実行する。
【００９１】
そして、移動した２点の開始タッチ座標のそれぞれの移動方向が、互いにほぼ逆方向でない、つまり、ほぼ同じ方向であると判定した場合には（Ｓ３１６：ＹＥＳ）、ＣＰＵ４１は、当該サブ処理を終了してメインフローチャートに戻り、Ｓ１６の処理に移行する。
【００９２】
一方、移動した２点の開始タッチ座標のそれぞれの移動方向が、互いにほぼ逆方向であると判定した場合には（Ｓ３１６：ＹＥＳ）、ＣＰＵ４１は、Ｓ３１７の処理に移行する。Ｓ３１７において、ＣＰＵ４１は、移動した２点の開始タッチ座標と、それぞれの最終タッチ座標をＲＡＭ４２から読み出し、固定タッチ座標を中心として、２本の境界線間の中心線に対して同じ幅で両側へ扇形に開く開き幅を設定する。また、ＣＰＵ４１は、蛇腹状に折り畳んで圧縮表示した圧縮表示領域を固定タッチ座標を中心として、この設定した開き幅で扇形に開く。
【００９３】
具体的には、図１１及び図１２に示すように、ＣＰＵ４１は、各開始タッチ座標９１、９２と各最終タッチ座標９３、９４をＲＡＭ４２から読み出す。そして、ＣＰＵ４１は、蛇腹状に折り畳んで圧縮表示した圧縮表示領域９５の圧縮方向に沿った各開始タッチ座標９１、９２から各最終タッチ座標９３、９４までの各移動距離Ｌ１、Ｌ２を算出してＲＡＭ４２に記憶する。
【００９４】
そして、ＣＰＵ４１は、圧縮表示領域９５の圧縮方向に沿って各開始タッチ座標９１、９２を各境界線９６、９７上まで移動させ、この移動させた後の各開始タッチ座標９１、９２間の中間の位置、つまり、各開始タッチ座標９１、９２から距離Ｈ１／２の各境界線９６、９７上の各座標位置Ｐ１、Ｐ２を算出する。そして、ＣＰＵ４１は、この算出した各境界線９６、９７上の各座標位置Ｐ１、Ｐ２から各境界線９６、９７に対して垂直方向に、距離Ｌ１と距離Ｌ２だけ離れた各座標位置Ｐ３、Ｐ４を算出する。
【００９５】
その後、図１２に示すように、ＣＰＵ４１は、各座標位置Ｐ３、Ｐ４のうち、圧縮表示領域９５からの距離が大きい方の座標位置Ｐ４を選択する。そして、ＣＰＵ４１は、この座標位置Ｐ４を境界線９７が通り、且つ、圧縮表示領域９５上の固定タッチ座標９８を中心として、各境界線９６、９７間の中心線、つまり、圧縮表示領域９５の圧縮方向の中心線に対して等角度になるように各境界線９６、９７を扇形に開く。
【００９６】
そして、ＣＰＵ４１は、上記Ｓ２１３で設定した「蛇腹折り畳み数」をＲＡＭ４２から読み出し、この扇形に開いた当該圧縮表示領域９５の各開始タッチ座標９１、９２側の先端部の幅寸法を「蛇腹折り畳み数」（例えば、蛇腹折り畳み数「４」である。）で割り算して、各蛇腹の先端部の幅Ｌ３を算出し、圧縮表示領域９５の各蛇腹の開き幅としてＲＡＭ４２に記憶する。また、ＣＰＵ４１は、圧縮表示領域９５上の固定タッチ座標９８を中心として、各蛇腹の先端部の幅が、開き幅Ｌ３になるように各境界線９６、９７間の蛇腹を扇形に開く。
【００９７】
続いて、図６に示すように、Ｓ３１８において、ＣＰＵ４１は、圧縮表示領域の固定タッチ座標を中心として扇形に開いた蛇腹開放側の地図領域を圧縮表示領域に沿ってＮ等分した複数の分割エリアを設定する。例えば、図１３に示すように、ＣＰＵ４１は、圧縮表示領域９５の固定タッチ座標９８を中心として扇形に開いた蛇腹開放側の地図領域９９を圧縮表示領域９５に沿って４等分して、各分割エリア１０１Ａ〜１０１Ｄを設定する。
【００９８】
そして、Ｓ３１９において、ＣＰＵ４１は、各分割エリアのそれぞれの圧縮表示領域に沿った方向の中心位置において、扇形に開いた蛇腹状に折り畳んだ圧縮表示領域の幅を、蛇腹状に折り畳んでいない状態のときの幅で割り算し、各分割エリアの圧縮表示領域における地図画像の圧縮率としてＲＡＭ４２に記憶する。また、ＣＰＵ４１は、各分割エリアの圧縮表示領域における地図画像の圧縮率を１００％から引き算して、各分割エリアにおける圧縮表示領域の両外側の地図画像の圧縮率としてＲＡＭ４２に記憶する。
【００９９】
続いて、Ｓ３２０において、ＣＰＵ４１は、各分割エリアの圧縮表示領域における地図画像の圧縮率をＲＡＭ４２から読み出し、各分割エリアの扇形に開いた圧縮表示領域に２本の境界線で挟まれた地図領域を当該圧縮率で蛇腹状に圧縮表示する。また、ＣＰＵ４１は、各分割エリアの圧縮表示領域の両外側の地図画像の圧縮率をＲＡＭ４２から読み出し、各分割エリアの扇形に開いた圧縮表示領域の両外側の地図画像を当該圧縮率で圧縮表示する。その後、ＣＰＵ４１は、当該サブ処理を終了してメインフローチャートに戻り、Ｓ１６の処理に移行する。
【０１００】
例えば、図１３に示すように、ＣＰＵ４１は、各分割エリア１０１Ａ〜１０１Ｄにおいて、扇形に開いた蛇腹状に折り畳んだ各圧縮表示領域９５Ａ〜９５Ｄの縦方向の中心位置で、境界線９６から左右方向中央位置までの幅を、蛇腹状に折り畳んでいない状態のときの幅で順番に割り算し、扇形に開いた各圧縮表示領域９５Ａ〜９５Ｄにおける地図画像の圧縮率として、「８５％」、「７０％」、「４０％」、「１５％」をＲＡＭ４２に記憶する。
【０１０１】
そして、ＣＰＵ４１は、各分割エリア１０１Ａ〜１０１Ｄの扇形に開いた各圧縮表示領域９５Ａ〜９５Ｄに各境界線９６、９７で挟まれた地図領域を各圧縮率「８５％」、「７０％」、「４０％」、「１５％」で蛇腹状に圧縮表示する。
【０１０２】
また、ＣＰＵ４１は、扇形に開いた各圧縮表示領域９５Ａ〜９５Ｄの地図画像の圧縮率を１００％から引き算して、各圧縮表示領域９５Ａ〜９５Ｄの両外側の地図画像の圧縮率として、「１５％」、「３０％」、「６０％」、「８５％」をＲＡＭ４２に記憶する。そして、ＣＰＵ４１は、各分割エリア１０１Ａ〜１０１Ｄの扇形に開いた各圧縮表示領域９５Ａ〜９５Ｄの両外側の地図画像を当該圧縮率「１５％」、「３０％」、「６０％」、「８５％」で圧縮表示する。
【０１０３】
尚、ＣＰＵ４１は、上記Ｓ１１５で記憶した各境界線間に連続する同一道路として相互に対応付けられた各境界線上の各リンクのリンクＩＤをＲＡＭ４２から順番に読み出す。そして、ＣＰＵ４１は、地図画像上の相互に対応付けられた各リンクＩＤに対応する道路の各境界線上の端縁部を繋いで、扇形に開いた蛇腹状に折り畳んだ圧縮表示領域上に同一道路を連続した状態で順番に表示する。
【０１０４】
また、ＣＰＵ４１は、上記Ｓ１１５で記憶した各境界線間に連続する同一施設として相互に対応付けられた各境界線上の施設ＩＤをＲＡＭ４２から順番に読み出す。そして、ＣＰＵ４１は、地図画像上の相互に対応付けられ各施設ＩＤに対応する施設の各境界線上の端縁部を順番に繋いで、扇形に開いた蛇腹状に折り畳んだ圧縮表示領域上に同一施設を連続した状態で表示する。その後、ＣＰＵ４１は、当該サブ処理を終了してメインフローチャートに戻る。
【０１０５】
［蛇腹描画変更処理］
次に、上記Ｓ１６で実行する「蛇腹描画変更処理」のサブ処理について図７、図１４及び図１５に基づいて説明する。
図７に示すように、Ｓ４１１において、ＣＰＵ４１は、ＲＡＭ４２からそれぞれの指のタッチ座標を時系列的に読み出し、表示画面上での各指のタッチ座標の移動方向と、各指のタッチ座標の移動速度を算出してＲＡＭ４２に記憶する。
【０１０６】
続いて、Ｓ４１２において、ＣＰＵ４１は、表示画面上での各指のタッチ座標の移動方向が同一点に向かっているか否か、つまり、各指のタッチ座標の移動方向が互いに近づく方向か否かを判定する判定処理を実行する。そして、表示画面上での各指のタッチ座標の移動方向が同一点に向かっていないと判定した場合には（Ｓ４１２：ＮＯ）、ＣＰＵ４１は、当該サブ処理を終了してメインフローチャートに戻り、圧縮表示処理を終了する。
【０１０７】
一方、表示画面上での各指のタッチ座標の移動方向が同一点に向かっていると判定した場合には（Ｓ４１２：ＹＥＳ）、ＣＰＵ４１は、Ｓ４１３の処理に移行する。Ｓ４１３において、ＣＰＵ４１は、各指のタッチ座標の移動速度をＲＡＭ４２から読み出し、各指のタッチ座標の近づく相対速度を算出して、この相対速度が予めＲＯＭ４３に記憶している一定速度以上であるか否かを判定する判定処理を実行する。例えば、ＣＰＵ４１は、各指のタッチ座標の近づく相対速度が１０ｃｍ／秒以上か否かを判定する。
【０１０８】
そして、各指のタッチ座標の近づく相対速度が、予めＲＯＭ４３に記憶している一定速度以上であると判定した場合には（Ｓ４１３：ＹＥＳ）、ＣＰＵ４１は、Ｓ４１４の処理に移行する。Ｓ４１４において、ＣＰＵ４１は、蛇腹状に折り畳んで圧縮表示した圧縮表示領域を元の状態に復元表示する。つまり、ＣＰＵ４１は、圧縮表示領域の各境界線の外側に表示している地図の縮尺で、通常表示に戻し、表示画面に現在地周辺の地図画像を表示する。その後、ＣＰＵ４１は、当該サブ処理を終了して、メインフローチャートに戻り、圧縮表示処理を終了する。
【０１０９】
一方、各指のタッチ座標の近づく相対速度が、予めＲＯＭ４３に記憶している一定速度未満であると判定した場合には（Ｓ４１３：ＮＯ）、ＣＰＵ４１は、Ｓ４１５の処理に移行する。Ｓ４１５において、ＣＰＵ４１は、各指の最終タッチ座標が、一箇所に集中したか否かを判定する判定処理を実行する。そして、各指の最終タッチ座標が、一箇所に集中したと判定した場合には（Ｓ４１５：ＹＥＳ）、ＣＰＵ４１は、上記Ｓ４１４の処理に移行して、上記の通り、蛇腹状に折り畳んで圧縮表示した圧縮表示領域を元の状態に復元表示する。
【０１１０】
例えば、図１４に示すように、縮尺が「市街図」の地図画像上に、地図領域５７を各境界線５８、５９に対して垂直方向に折り畳み数「４」の蛇腹状に折り畳んで圧縮表示した圧縮表示領域８５が表示されている。この場合に、各指の各開始タッチ座標１０５、１０６が、各最終タッチ座標１０７、１０８まで近づくように、一定速度未満（例えば、１０ｃｍ/秒未満である。）で移動した場合には、ＣＰＵ４１は、各最終タッチ座標１０７、１０８が一箇所に集中したと判定する。
【０１１１】
そして、図１５に示すように、ＣＰＵ４１は、各境界線５８、５９で挟まれた地図領域５７を蛇腹状に折り畳んで圧縮表示した圧縮表示領域８５を元の状態に復元して、現在地（自車位置）周辺の地図画像を表示する（図８参照）。尚、各指の各開始タッチ座標１０５、１０６から内側方向に、タッチ座標が一定速度以上（例えば、１０ｃｍ/秒以上である。）の相対速度で互いに近づいた場合にも、図１５に示すように、ＣＰＵ４１は、蛇腹状に折り畳んで圧縮表示した圧縮表示領域８５を元の状態に復元して、現在地（自車位置）周辺の地図画像を表示する（図８参照）。
【０１１２】
他方、上記Ｓ４１５で各指の最終タッチ座標が、一箇所に集中していないと判定した場合には（Ｓ４１５：ＮＯ）、ＣＰＵ４１は、Ｓ４１６の処理に移行して、上記「蛇腹情報生成処理」のサブ処理（Ｓ１３参照）を実行する。続いて、Ｓ４１７において、ＣＰＵ４１は、上記「蛇腹描画処理」のサブ処理（Ｓ１４参照）を実行後、当該サブ処理を終了してメインフローチャートに戻り、圧縮表示処理を終了する。
【０１１３】
以上詳細に説明した通り、本実施例に係るナビゲーション装置１では、ユーザは、表示画面へ２本の指を押下して近づけるように移動させることによって、この２本の指で押下した間の地図を、２本の指を移動させた方向へ蛇腹状に折り畳んで圧縮表示させることができる。また、表示画面の外側の地図領域を表示画面内に移動して表示することができ、表示画面の外側の地図領域を簡易な操作で容易に確認することができる。
【０１１４】
また、ユーザは、表示画面の蛇腹状に折り畳んで圧縮表示した圧縮表示領域の１点を指等で押下して固定した状態で、且つ、この圧縮表示領域の両外側を２本の指で押下して該圧縮表示領域から離れる方向へ移動させることによって、当該圧縮表示領域上の固定タッチ座標から２本の指の各開始タッチ座標側の部分を扇形に拡大表示させることができる。これにより、ユーザは、蛇腹状に折り畳んで圧縮表示された圧縮表示領域のうち、見たい部分を部分的に扇形に拡大して表示させることができるため、圧縮表示領域を挟んだ各画面間の道路等の繋がりや位置関係を容易に確認することができる。
【０１１５】
また、ＣＰＵ４１は、圧縮表示領域上の固定タッチ座標から２本の指の各開始タッチ座標側の部分を、各境界線の中心線に対して同じ幅で両側に拡がるように扇形に拡大表示する。これにより、ユーザは圧縮表示領域の開き幅を両外側方向へ広く拡大することができ、圧縮表示領域を挟んだ各画面間の道路等の繋がりや位置関係を更に容易に確認することができる。
【０１１６】
また、２本の境界線に対して両外側部分の地図領域は、圧縮表示領域が扇形に拡大表示されるのに対応して圧縮されて表示されるため、ユーザは圧縮表示領域を挟んだ各画面間の道路等の繋がりや位置関係を更に容易に確認することができる。
【０１１７】
尚、本発明は前記実施例に限定されるものではなく、本発明の要旨を逸脱しない範囲内で種々の改良、変形が可能であることは勿論である。例えば、以下のようにしてもよい。
【０１１８】
（Ａ）例えば、上記Ｓ３１１〜Ｓ３１７の処理に替えて、ＣＰＵ４１は、タッチパネル１８の指で押下された各開始タッチ座標をＲＡＭ４２から読み出し、開始タッチ座標が表示画面上の２点の座標位置の場合には、１点の開始タッチ座標が圧縮表示領域上に固定された固定タッチ座標で、且つ、他点の開始タッチ座標が圧縮表示領域の外側に位置した後、圧縮表示領域から離れる方向へ移動したか否かを判定するようにしてもよい。
【０１１９】
そして、ＣＰＵ４１は、１点の開始タッチ座標が圧縮表示領域上に固定された固定タッチ座標で、且つ、他点の開始タッチ座標が圧縮表示領域の外側に位置した後、圧縮表示領域から離れる方向へ移動したと判定した場合には、固定タッチ座標を中心として、２本の境界線間の中心線に対して同じ幅で両側へ扇形に開く開き幅を設定する。また、ＣＰＵ４１は、蛇腹状に折り畳んで圧縮表示した圧縮表示領域を固定タッチ座標を中心として、この設定した開き幅で扇形に開くようにしてもよい。
【０１２０】
具体的には、ＣＰＵ４１は、当該他点の開始タッチ座標と最終タッチ座標をＲＡＭ４２から読み出す。そして、ＣＰＵ４１は、蛇腹状に折り畳んで圧縮表示した圧縮表示領域の圧縮方向に沿った開始タッチ座標から最終タッチ座標までの移動距離Ｌ１０を算出する。また、ＣＰＵ４１は、固定タッチ座標から２本の境界線間の中心線の他点側の端縁部までの中点の座標位置Ｐ１０を算出する。そして、この座標位置Ｐ１０から各境界線に対して垂直方向に、距離Ｌ１０だけ離れた座標位置Ｐ１１を算出するようにしてもよい。
【０１２１】
続いて、ＣＰＵ４１は、座標位置Ｐ１１に近い方の境界線が当該座標位置Ｐ１１を通り、且つ、圧縮表示領域上の固定タッチ座標を中心として、各境界線間の中心線に対して等角度になるように各境界線を扇形に開くようにしてもよい。そして、ＣＰＵ４１は、上記Ｓ２１３で設定した「蛇腹折り畳み数」をＲＡＭ４２から読み出し、この扇形に開いた当該圧縮表示領域の開始タッチ座標側の先端部の幅寸法を「蛇腹折り畳み数」（例えば、蛇腹折り畳み数「４」である。）で割り算して、各蛇腹の先端部の幅Ｌ１１を算出して、圧縮表示領域の各蛇腹の開き幅としてＲＡＭ４２に記憶するようにしてもよい。
【０１２２】
そして、ＣＰＵ４１は、圧縮表示領域上の固定タッチ座標を中心として、各蛇腹の先端部の幅が、開き幅Ｌ１１になるように各境界線間の蛇腹を扇形に開くようにしてもよい。
これにより、ユーザは、１本の指で圧縮表示領域上を押下した状態で、他の指で圧縮表示領域の外側を押下して該圧縮表示領域から離れる方向へ移動させることによって、圧縮表示領域のうち、見たい部分を片手で部分的に扇形に開いて拡大表示することが可能となる。
【０１２３】
（Ｂ）また、例えば、上記Ｓ３１７において、ＣＰＵ４１は、圧縮表示領域上の固定タッチ座標から２本の指の各開始タッチ座標側の部分を、固定タッチ座標の座標位置を一辺が通り、且つ、２本の境界線間の中心線に対して対称な四角形状に拡大表示するようにしてもよい。
具体的には、ＣＰＵ４１は、蛇腹状に折り畳んで圧縮表示した圧縮表示領域の圧縮方向に沿った各開始タッチ座標から各最終タッチ座標までの各移動距離Ｌ２１、Ｌ２２を算出してＲＡＭ４２に記憶する。
【０１２４】
そして、ＣＰＵ４１は、固定座標位置を通る一辺の長さを各移動距離Ｌ２１、Ｌ２２のうち、大きい方の移動距離の２倍の長さに設定するようにしてもよい。
これにより、ユーザは、蛇腹状に折り畳んで圧縮表示された圧縮表示領域のうち、見たい部分を部分的に四角形状に拡大して表示させることができるため、圧縮表示領域を挟んだ各画面間の道路等の繋がりや位置関係を容易に確認することができる。
【符号の説明】
【０１２５】
１        ナビゲーション装置
１５      液晶ディスプレイ
１８      タッチパネル
２５      地図情報ＤＢ
２６      ナビ地図情報
２７      圧縮表示ＤＢ
４１      ＣＰＵ
４２      ＲＡＭ
４３      ＲＯＭ
５１      圧縮表示データテーブル
５５、５６、９１、９２、１０５、１０６      開始タッチ座標
５７、９９      地図領域
５８、５９、９６、９７      境界線
７１、７２、８１、８２、９３、９４、１０７、１０８      最終タッチ座標
７５、８５、９５、９５Ａ〜９５Ｄ      圧縮表示領域
９８      固定タッチ座標
１０１Ａ〜１０１Ｄ      分割エリア
Ｐ１〜Ｐ４      座標位置
【図１】
2013029935.tif 000003
【図２】
2013029935.tif 000004
【図３】
2013029935.tif 000005
【図４】
2013029935.tif 000006
【図５】
2013029935.tif 000007
【図６】
2013029935.tif 000008
【図７】
2013029935.tif 000009
【図８】
2013029935.tif 000010
【図９】
2013029935.tif 000011
【図１０】
2013029935.tif 000012
【図１１】
2013029935.tif 000013
【図１２】
2013029935.tif 000014
【図１３】
2013029935.tif 000015
【図１４】
2013029935.tif 000016
【図１５】
2013029935.tif 000017